(57)【特許請求の範囲】
【請求項１】
複数のセルが直列に接続された複数のキャパシタモジュールの作動状態を表示するセル電圧モニタシステムにおいて、
前記各セルのセル電圧を検出するセル電圧検出回路と、
この前記各セルのセル電圧のデータを送信するキャパシタモジュール基板と、
このキャパシタモジュール基板から送信されるセル電圧のデータ取得してグラフィック表示するモニタとを備え、
このモニタは、横軸に前記各キャパシタモジュールにおける前記セルの番号がとられるとともに縦軸に前記各キャパシタモジュールの番号がとられて前記各セル毎にセル電圧が異なる色によって表示される全セル電圧モニタと、
指定された前記キャパシタモジュールの前記各セル電圧をグラフにして表示する指定モジュールセル電圧モニタと、
全ての前記キャパシタモジュールの電圧をグラフにして表示する全モジュール電圧モニタとを備えたことを特徴とするセル電圧モニタシステム。
【発明の詳細な説明】
【技術分野】
【０００１】
本発明は、セル電圧モニタシステムの改良に関するものである。
【背景技術】
【０００２】
特許文献１には、電気化学セルの内部抵抗に基づいて電池初期容量を個々に判定する自己診断システムが開示されている。
【０００３】
特許文献２には、キャパシタセル群の電圧データを収集し、解析するシステムが開示されている。
【特許文献１】特表２００４−５３２４１６号公報
【特許文献２】特開２００２−２７２００９号公報
【発明の開示】
【発明が解決しようとする課題】
【０００４】
しかしながら、このような従来のシステムにあっては、各セルの電圧をリアルタイムで表示する機能を持たず、セルの異常を視認することができないという問題点があった。
【０００５】
本発明は上記の問題点に鑑みてなされたものであり、セルの異常を視認できるセル電圧モニタシステムを提供することを目的とする。
【課題を解決するための手段】
【０００６】
本発明では、複数のセルが直列に接続された複数のキャパシタモジュールの作動状態を表示するセル電圧モニタシステムにおいて、各セルのセル電圧を検出するセル電圧検出回路と、この各セルのセル電圧のデータを送信するキャパシタモジュール基板と、このキャパシタモジュール基板から送信されるセル電圧のデータ取得してグラフィック表示するモニタとを備え、このモニタは、横軸に各キャパシタモジュールにおけるセルの番号がとられるとともに縦軸に各キャパシタモジュールの番号がとられて各セル毎にセル電圧が異なる色によって表示される全セル電圧モニタと、指定されたキャパシタモジュールの各セル電圧をグラフにして表示する指定モジュールセル電圧モニタと、全てのキャパシタモジュールの電圧をグラフにして表示する全モジュール電圧モニタとを備える。
【発明の効果】
【０００７】
本発明によると、モニタに各セルのセル電圧をグラフィック表示することにより、セルの異常を容易に視認できる。
【発明を実施するための最良の形態】
【０００８】
本発明の実施形態を添付図面に基づいて説明する。
【０００９】
図１は電力貯蔵装置１のシステム図である。電力貯蔵装置１はキャパシタモジュール群５を備え、このキャパシタモジュール群５はＦ個のキャパシタモジュール６を備える。各キャパシタモジュール６はｎ個の電気二重層キャパシタセル（以下セルと呼ぶ）ｃが直列に接続された２本のセル回路７が並列に設けられており、電力貯蔵装置１はｍ本のセル回路７を備える。
【００１０】
キャパシタモジュール６は、図示しないが、各セルｃの端子電圧（以下セル電圧と呼ぶ）を検出するセル電圧検出回路を備えるとともに、各キャパシタモジュール６の温度を検出する温度センサを備える。
【００１１】
キャパシタモジュール６は、各セルｃのセル電圧及び各キャパシタモジュール６の温度等のデータを送信するキャパシタモジュール基板（図示せず）を備える。キャパシタコントローラ２は、キャパシタモジュール基板から送信されるデータをＬＡＮ（通信回線）４を介して受信し、各セルＣのセル電圧を均等化するように各セルＣのバイパス回路（図示せず）の断続（充電電流のバイパス）を制御する。
【００１２】
キャパシタコントローラ２は、各セルｃのセル電圧に基づいて各セルｃのセル電圧を均等化するように各セルｃのバイパス回路（図示せず）の断続（充電電流のバイパス）を制御する。
【００１３】
モニタ３はキャパシタモジュール６とキャパシタコントローラ２とが接続されたＬＡＮ４に追加接続される。モニタ３はキャパシタモジュール基板から送信されるデータを受信し、各セルＣのセル電圧を色を変えて並べるグラフィック表示をする。
【００１４】
図２はモニタ３におけるデータ処理の概要を示す構成図である。これは、セル電圧のデータをパケットの形で受信するデータセット部１１と、このデータを保存するセル電圧データ部１２と、このデータを取得してグラフィック表示するグラフ描画部１３とを備える。これにより、パケットを受信したときに後述するデータをセットするルーチンと、データをグラフィック表示するルーチンが１００ｍｓ周期毎に実行される。
【００１５】
図３はモニタ３における表示例を示す図である。これは、一つの表示部２０を区分けして、指定されたキャパシタモジュール６の各セル電圧をグラフにして表示する指定モジュールセル電圧モニタ２１と、全てのキャパシタモジュール６の電圧をグラフにして表示する全モジュール電圧モニタ２２と、全てのセルｃのセル電圧を異なる色でグラフィック表示する全セル電圧モニタ２３等を備える。
【００１６】
図４は上記全セル電圧モニタ２３を示す図である。これは、横軸に各キャパシタモジュール６におけるセルｃの番号１〜ｎがとられ、縦軸に各キャパシタモジュール６の番号１〜ｍがとられ、各セルｃ毎にセル電圧が異なる色によって表示される。セル電圧が高い値は例えば赤色、低い値は例えば青色と、色相を変えるとともに、その彩度をセル電圧に応じて変えるようになっている。
【００１７】
このようにして、全セル電圧モニタ２３は全てのセルｃのセル電圧をリアルタイムで表示し、セル電圧が平均値より大幅に低い異常のあるセルｃが存在する場合、ほとんどのセルｃが赤色となる中で、異常のあるセルｃは青色となる。このため、特異なセルｃを容易に識別できる。
【００１８】
次に、モニタ３で実行されるデータをセットするルーチンを図５のフローチャートにしたがって説明する。このルーチンによって受信したパケットを解析し、メモリの内容が更新される。
【００１９】
まず、ステップ１にて、受信したデータのパケットＩＤのモジュール６の番号を判定し、続くステップ２群にて判定された番号毎に変数ｉにモジュール６の番号をセットする。認識されないものには変数ｉに０をセットする。この変数ｉが全セル電圧モニタ２３の縦軸の変数となる。
【００２０】
続くステップ３にて、変数ｉが０でないことを判定した場合、ステップ４に進んで受信したデータのパケットＩＤのセル電圧セルｃの番号を判定し、続くステップ５群にて判定された番号毎に変数Ｊにセルｃの番号をセットする。この変数Ｊが全セル電圧モニタ２３の横軸の変数となる。
【００２１】
続くステップ６に進んで、セットされた変数ｉ，Ｊの場所に受信データを格納する。
【００２２】
次に、モニタ３で実行されるデータをグラフィック表示するルーチンを図６のフローチャートにしたがって説明する。
【００２３】
まずステップ１１にて、セル塗りつぶしブラシｂｒｕｓｈ０１〜１２にセル電圧の高低に応じてＲＧＢの値を設定する。
【００２４】
続くステップ１２にて、変数ｉ，Ｊをｉ＝１、Ｊ＝１とセットする。
【００２５】
続くステップ１３群にて、セル電圧の値を判定し、続くステップ１４にてこのセル電圧の値に応じたセル塗りつぶしブラシをｂｒｕｓｈ０１〜１２の中から選択する。
【００２６】
続くステップ１５に進んで、対応したセルを選択したブラシで塗りつぶす。
【００２７】
ステップ１６に進んで、変数ＪをＪ＋１とし、続くステップ１７に進んでＪが全モジュール数に達するまで、前述したステップ１３〜１５に進んで対応したセルをブラシで塗りつぶす。
【００２８】
続くステップ１７に進んでＪが全モジュール数に達したことが判定された場合、変数ｉをｉ＋１とし、続くステップ１９に進んでｉが全セル数に達するまで、前述したステップ１３〜１５に進んで対応したセルをブラシで塗りつぶす。
【００２９】
ステップ１９に進んでｉが全セル数に達すると、続くステップ２０に進んで、目盛線、モジュール番号、セル番号を描画する。
【００３０】
以上の動作を繰り返して行うことにより、モニタ３にデータをリアルタイムでグラフィック表示することができる。
【００３１】
以上のように構成されて、次に作用及び効果について説明する。
【００３２】
複数のセルｃが直列に接続された複数のキャパシタモジュール６の作動状態を表示するセル電圧モニタシステムにおいて、各セルｃのセル電圧を検出するセル電圧検出回路と、この各セルｃのセル電圧のデータを送信するキャパシタモジュール基板と、このキャパシタモジュール基板から送信されるセル電圧のデータ取得してグラフィック表示するモニタ３とを備えたため、モニタ３に各セルｃのセル電圧をグラフィック表示することにより、セルｃの異常を容易に視認できる。
【００３３】
モニタ３に全てのセルｃのセル電圧を異なる色でグラフィック表示する全セル電圧モニタ２３を備えたため、異常のあるセルｃを色を見て容易に識別できる。
【００３４】
モニタ３はキャパシタコントローラ２と独立して設けられるため、モニタ３を追加することに伴ってキャパシタコントローラ２の変更が不要になる。
【００３５】
本発明は上記の実施形態に限定されずに、その技術的な思想の範囲内において種々の変更がなしうることは明白である。
【図面の簡単な説明】
【００３６】
【図１】本発明の実施形態を示す電力貯蔵装置のシステム図。
【図２】同じくデータ処理の概要を示す構成図。
【図３】同じくモニタにおける表示例を示す図。
【図４】同じく全セル電圧モニタを示す図。
【図５】同じくデータをセットするルーチンを示すフローチャート。
【図６】同じくデータをグラフィック表示するルーチンを示すフローチャート。
【符号の説明】
【００３７】
１  電力貯蔵装置
２  キャパシタコントローラ
３  モニタ
４  ＬＡＮ
５  キャパシタモジュール群
６  キャパシタモジュール
２１  指定モジュールセル電圧モニタ
２２  全モジュール電圧モニタ
２３  全セル電圧モニタ
ｃ  セル
【図１】
0004571908.tif 000002
【図２】
0004571908.tif 000003
【図３】
0004571908.tif 000004
【図４】
0004571908.tif 000005
【図５】
0004571908.tif 000006
【図６】
0004571908.tif 000007